Podtech/llm-jp-corpus-v4-ja_patent huggingface dataset:
(57)【要約】【課題】２輪車の方向指示器は、手動でスイッチを入・切を操作のため、スイッチを切る操作を忘れ交通事故を起こす問題がある。この課題を、方向指示器ウインカー点滅自動切断装置で解決する。【解決手段】電磁スイッチを手元スイッチとし、振り子と直進確認スイッチを使い左右方向指示器信号電源を自動的に切断することを特徴とする。【選択図】図１2005199984.tif 000003
2005199984.tif 000002
【特許請求の範囲】
【請求項１】
２輪車用方向指示器で、電磁リレーＢ（左折用）Ｃ（右折用）をＡでＢ１・Ｃ１を押すことで、手元入力スイッチとして使い、振り子Ｄ（右折用）に釣り針状のバネＤＩ、振り子Ｅ（左折用）に同じくバネＥ１を取り付け、曲がる方向に車体が傾くと振り子の応用でＤ１・Ｅ１のバネはＤ２・Ｅ２を通り過ぎ、車体が垂直に戻る直前にＤ１でＤ２を、Ｅ１でＥ２のバネを引っかけ、電流を止めウインカーの点滅を自動消灯する。車体を傾けないで左折や右折をする時は、ハンドルが振り子と同じでバネＪ１（右折用）でバネＪ２を引っかけ車体が直進状態に戻る寸前に電流切断、バネＫ１（左折用）でバネＫ２を引っかけ電流切断、ウインカーの点滅を自動消灯する。電磁リレー、振り子式傾斜戻り確認器、ハンドルが直進状態に戻り確認器を回路でつなぎ、曲がる状態でどちらかが作動しウインカーの点滅を自動消灯する装置。
【発明の詳細な説明】
【技術分野】
【０００１】  本発明は、２輪車の方向指示器ウインカー点滅を自動消灯する部品製造に関するものである。
【背景技術】
【０００２】  従来の２輪車用方向指示器では、運転者が指でスイッチを入・切しウインカー点滅させる装置が普通で、スイッチの切り忘れが多くウインカーを点滅させたまま走り、渋滞や交通事故を起こしやすい。【０００３】  この改善策として、電磁リレーと振り子式傾斜確認器、車体直進確認器の回路図１を使い解決する。【０００４】
【特許文献１】特開２００３−１２７７６３  特開２００３−２２６２７６  特開Ｈ１１−５９２６５  特開Ｈ−０８−２６１５７  特開Ｈ０８−２２５０４０
【発明の開示】
【発明が解決しようとする課題】
【０００５】  解決しようとする問題点は、不安定な２輪車で事故率の多い交差点を左右折に注意しながら曲がるため、どうしても方向指示器のスイッチの切り忘れがある。このスイッチ切り忘れを無くすため、自動的にウインカーの回路電源を切断し安全に交差点を通過する事を目的とする。
【課題を解決するための手段】
【０００６】  本発明は、電磁リレーＢ・Ｃを方向指示器の手元スイッチ入力用に使い、振り子Ｄ・Ｅで車体が垂直に戻る直前に点滅信号を自動切断、Ｊ・Ｋでハンドルが直進状態に戻る直前に点滅信号を自動切断、曲がる状態でどちらかが作働しウインカーＨ・Ｉの点滅信号を自動的に消灯させることを最も主要な特徴とする。
【発明の効果】
【０００７】  本発明の２輪車用方向指示器点滅自動切断装置は、ウインカーの点滅を自動的に切断でき、消し忘れが無く、事故率の多い交差点を方向指示器に気をとられなく曲がり、交通事故を防げるという利点がある。
【発明を実施するための最良の形態】
【０００８】  本発明は、２輪車方向指示器のウインカー点滅消し忘れを無くすという目的を、構造を簡単にすることで多くに人に利用してもらい安全運転が出来る事を実現する。
【実施例１】
【０００９】  図１は、本発明の配線回路の略図で、図２・図３は振り子式垂直戻り直前電流切断器の略図、図４・図５はハンドルと車体が直進状態になる直前で電流切断器の略図である。【００１０】  図１の、左・右折表示スイッチＡ１・Ａ２で曲がる方向の接点Ｂ１（左折）・Ｃ１（右折）を押すとＢ側（左折）・Ｃ側（右折）一次回路に電流が流れ、電磁リレーＢ・Ｃが働き接点Ｂ２、Ｃ２が接続、Ｂ側（左折）・Ｃ側（右折）二次回路に電流が流れ左右ウインカーが点滅する。【００１１】  ウインカーを点滅させながら、左・右折のためハンドルを曲げたり車体を傾けたりして交差点を通過し、車体を起こしたりハンドルを戻したりすると振り子式自動切断機Ｄ（右折）・Ｅ（左折）、ハンドル直進確認切断器Ｊ（右折）・Ｋ（左折）どちらかが働き一次側電流を切断と同時に電磁リレー接点Ｂ１・Ｃ１、Ｂ２・Ｃ２が開き電流を切断、左・右折ウインカーＨ・Ｉが自動的に点滅が消灯する。このように交差点での左折・右折の例を示す。
【産業上の利用可能性】
【００１２】  この装置は、二輪車に簡単に取り付け利用でき、交差点での煩わしさから開放し、安全な運転をはかる。
【図面の簡単な説明】
【００１３】
【図１】配線、回路略図
【図２】右折用振り子式電流切断器
【図３】左折用振り子式電流切断器
【図４】右折用直進確認電流切断器
【図５】左折用直進確認電流切断器
【符号の説明】
【００１４】Ａ    スイッチレバー
Ａ１  左折用押し突起
Ａ２  右折用押し突起
Ｂ    左折用電磁リレー
Ｂ１  左折用電磁リレー一次側接点
Ｂ２  左折用電磁リレー二次側接点
Ｃ    右折用電磁リレー
Ｃ１  右折用電磁リレー一次側接点
Ｃ２  右折用電磁リレー二次側接点
Ｄ    右折用振り子式電流切断器
Ｄ１  右折用引っかけバネ
Ｄ２  右折用バネ式接点
Ｅ    左折用振り子式電流切断器
Ｅ１  左折用引っかけバネ
Ｅ２  左折用バネ式接点
Ｆ    左折用点滅リレー
Ｇ    右折用点滅リレー
Ｈ    左折用ウインカー
Ｉ    右折用ウインカー
Ｊ    右折用直進確認電流切断器
Ｊ１  右折直進確認電流切断用引っかけバネ
Ｊ２  右折直進確認電流切断用バネ式接点
Ｋ    左折用直進確認電流切断器
Ｋ１  左折直進確認電流切断用引っかけバネ
Ｋ２  左折直進確認電流切断用バネ式接点
【図１】
2005199984.tif 000004
【図２】
2005199984.tif 000005
【図３】
2005199984.tif 000006
【図４】
2005199984.tif 000007
【図５】
2005199984.tif 000008
(57)【要約】【課題】同一レール上の全ての座席列において、複数のシートを移動でき、座席数およびシート数も変更できるようにする。【解決手段】同一レール（Ｌ）上にある複数のシートにおいて、各々のシートの着座部（あ）同士の横幅寸法（Ａ）および背もたれ部（い）同士の横幅寸法（Ｂ）を同じ寸法とした。また、シート数の変更には、同一レール（Ｌ）に着脱するための穴（Ｈ１、Ｈ２）を施したり、支持具（Ｐ）の固定をシート側またはレール内移動機具（Ｍ）側に施した。【選択図】図１
2005199983.tif 000002
【特許請求の範囲】
【請求項１】
同一レール（Ｌ）上にある複数のシートにおいて、各々のシートの着座部（あ）同士の横幅寸法（Ａ）および背もたれ部（い）同士の横幅寸法（Ｂ）を同じ寸法とした複数のシート。
【請求項２】
レール（Ｌ）の末端を開口したレール。
【請求項３】
レール（Ｌ）の上面の一部を開口したレール。
【請求項４】
着座部（あ）に固定した支持具（Ｐ）。
【請求項５】
レール内移動機具（Ｍ）に固定した支持具（Ｐ）。
【発明の詳細な説明】
【発明の詳細な説明】
【技術分野】
【０００１】  本発明は、同一レール上にある複数の車両用シートの寸法とシートの着脱に関する。
【背景技術】
【０００２】  特許公開平７−２１５１１３では、センターシートとして１客のみがロングレール上を移動できるように左右の座席間の間隔を合わせた考案であり、２客以上でのシートアレンジやセンターシート以外での使用はできなかった。また、シート数の増減もできなかった。
【発明が解決しようとする課題】
【０００３】  本発明では、同一レール上の全ての座席列において、複数のシートが移動できるシートを課題とした。また、座席数を変更する方法も課題とした。
【課題を解決するための手段】
【０００４】  複数のシートが同一レール上の全ての座席列において座席と成り得るシートにするため、同一レール上にある複数のシートにおいて、各々のシートの着座部（あ）同士の横幅寸法（Ａ）および背もたれ部（い）同士の横幅寸法（Ｂ）を同じ寸法とした。また、座席数の変更には、ラゲッジ部分まで延ばした同一レールの後部にシートを移動し折り畳むことや背もたれ部（い）を倒して着座部（あ）とフラットな状態にすることで座席数を変更する。
【発明を実施するための最良の形態】
【０００５】  以下、本発明に係わる車両用シートの実施形態を実施例にもとづき図面を参照して述する。
図１は、２本の同一レール上に２客のシートにおいて、各々のシートの着座部（あ）同士の横幅寸法（Ａ）および背もたれ部（い）同士の横幅寸法（Ｂ）を同じ寸法とした。また、２客以上でも同様の寸法とすることで実施可能であり、センターシート以外の左右のシートにおいても実施可能である。また、レールの本数は、シートとレールとの固定の仕方により適宜変わる。【０００６】  図２の（１）および（２）および（３）は、本発明に係わる車両用シートをセンターシートとして２客配置したシートアレンジ例であり、第１列目から第３列目後方までの左右のシートの間に車両床面に前後方向に延びるロングレール上を移動できる。（４）・（５）および（６）は、本発明に係わる車両用シートをセンターシートとして２客配置したうちの１客を後部に収納した時のシートアレンジ例である。【０００７】  図３は、図２の（４）・（５）および（６）における（ａ）・（ｂ）および（ｃ）の各々の実施例を示した図であり、座席数を変更する際に、ラゲッジ部分まで延ばした同一レールの後部にシートを移動し着座部（あ）と背もたれ部（い）とを折り畳むことや背もたれ部（い）を倒して着座部（あ）とフラットな状態にすることで座席数を変更する。【０００８】  図４の（ア）および（イ）は、レール内にある移動機具（Ｍ）が、シートの着座部（あ）と固定されている場合に、シートを着脱するための穴をロングレールに施した例である。（ア）はロングレールの末端に施した穴（Ｈ１）で、車両後部位のラゲッジエリアからシートを着脱することによりシート数を変更できる。（イ）はロングレールの上面に施した穴（Ｈ２）で、レールとシートとの移動機具（Ｍ）または固定器具の形状に合った形状の穴と穴の数を施すことで、所定の位置でシートを着脱することができる。
（ウ）では、シートとレール内移動機具（Ｍ）とを固定する支持具（Ｐ）において、シート側を固定した時は支持具（Ｐ）とレール内移動機具（Ｍ）との間で着脱し、レール内移動機具（Ｍ）側を固定した時は支持具（Ｐ）とシートとの間で着脱する。
【発明の効果】
【０００９】  本発明では、同一レール上にある複数のシートにおいて、各々のシートの着座部同士および背もたれ部同士を同じ寸法とすることで、同一レール上の全ての座席列において、座席と成り得るシートを配することができた。また、座席数を変更する際に、ラゲッジ部分まで延ばした同一レールの後部にシートを移動し着座部（あ）と背もたれ部（い）とを折り畳むことや背もたれ部（い）を倒して着座部（あ）とフラットな状態にすることで座席数を変更することができた。さらに、同一レール上に着脱するための構造を施すことでシート数を変更することができた。
【図面の簡単な説明】
【００１０】
【図１】  同一レール上に２客のシートの上からの平面図である。
【図２】  （１）・（２）および（３）は、本発明に係わる車両用シートをセンターシートとして２客配置したシートアレンジ例を示す図である。  （４）・（５）および（６）は、本発明に係わる車両用シートをセンターシートとして２客配置したうちの１客を後部に収納した時のシートアレンジ例を示す図である。
【図３】（ａ）シートを折り畳んだ時の斜視図である。（ｂ）、（ｃ）シートを広げてフラットにした時の斜視図である。
【図４】（ア）は、レールに施した穴の実施例を示す斜視図である。（イ）は、レールに施した穴の実施例を示す上からの平面図である。（ウ）は、シートとレール内移動機具とを固定する支持具の平面図である。
【符号の説明】
【００１１】あ  着座部
い  背もたれ部
Ｌ  レール
Ａ  着座部の横幅寸法
Ｂ  背もたれ部の横幅寸法
ａ  折り畳まれたシート
ｂ、ｃ  広げられたシート
Ｆ  車両前方
Ｒ  車両後方
Ｈ１、Ｈ２  穴
Ｍ  レール内異動機具
Ｐ  シートとレール内移動機具を固定する支持具
【図１】
2005199983.tif 000003
【図２】
2005199983.tif 000004
【図３】
2005199983.tif 000005
(57)【要約】【課題】  カタログ及び封書配布担当者情報が必要なときに速やかに知ることができるように、担当者情報が記載された名刺を適切に付着させることができる、名刺付着スペース付きカタログ及び封筒を提供する。【解決手段】  カタログ及び封筒の社名や代理店名、担当者表記部に名刺付着スペースの欄を設け、当該スペースに担当者情報が記載された名刺を付着し、担当者情報を表記できるようにしたことを特徴とする、名刺付着スペース付きカタログ及び封筒。【選択図】  図１
2005199729.tif 000002
【特許請求の範囲】
【請求項１】
カタログ及び封筒の任意の位置に名刺付着スペースの欄を設けたことを特徴とする、名刺付着スペース付きカタログ及び封筒。
【発明の詳細な説明】
【発明の詳細な説明】
【技術分野】
【０００１】  本発明は、カタログや封筒の社名や代理店名・担当者表記部に、名刺付着スペースの欄を設けた名刺付着スペース付きカタログ及び封筒に関するものである。
【背景技術】
【０００２】  従来、カタログ及び封筒の社名や代理店名・担当者表記部には、慣習的に一貫した表記方法というものがなかった。
一般に社名や代理店名、住所印を捺す小さな枠やスペースが設けられているのみで、担当者情報が記載された名刺が付着できるだけの明確にして大きなスペースはなかった。
このため、担当者情報の表記のないカタログや封筒に入った書類が関係者へ配布され、必要なときに速やかにカタログ及び封書配布担当者に連絡することができなかった。
【発明の開示】
【発明が解決しようとした課題】
【０００３】  そのために、次のような問題点があった。
カタログ及び封筒に担当者情報の表記がないため、必要なときに速やかに担当者に連絡をとることができず、スピーディーな対応ができなった。
また、カタログ及び封書配布担当者情報を探すのに手数を要するなど、非効率かつ非常に不便であった。
本発明は以上の問題点を解決しようとするものである。
【課題を解決するための手段】
【０００４】  カタログ及び封筒の社名や代理店名、担当者表記部に適切な名刺付着スペースの欄を設け、当該スペースに担当者情報が記載された名刺を付着し担当者情報を表記できるようにした。
以上を特徴とする名刺付着スペース付きカタログ及び封筒である。
【発明の効果】
【０００５】  本発明により、カタログや封書配布者の担当者情報が、必要なときに速やかに確認できるようになった。
【発明を実施するための最良の形態】
【０００６】  以下、本発明の実施の形態を説明する。
カタログ裏表紙（１）下部の社名・住所表記部に、名刺付着スペースの欄（２）を設ける。
また、図２に示すように、封筒背面（３）下部の社名・住所表記部に、名刺付着スペースの欄（４）を設けることもできる。
本発明は、以上の構成よりなっている。
本発明を使用するときは、担当者情報が記載された名刺用紙裏面に粘着剤を塗布した名刺を名刺付着スペースの欄（２）叉は名刺付着スペースの欄（４）に付着して使用する。
【図面の簡単な説明】
【０００７】
【図１】本発明の斜視図である。
【図２】本発明の他の実施例を示した平面図である。
【符号の説明】
【０００８】１  カタログ本体裏表紙
２  名刺付着スペースの欄
３  封筒本体背面
４  名刺付着スペースの欄
【図１】
2005199729.tif 000003
【図２】
2005199729.tif 000004
(57)【要約】【課題】濃縮された汚泥等を短時間に乾燥ケーキとする天日乾燥床を提供することを目的とする。【解決手段】ハニカムフレームを濾床の上部に配設する天日乾燥床。【選択図】図２
2005199249.tif 000002
【特許請求の範囲】
【請求項１】
ハニカムフレームを濾床の上部に配設することを特徴とする、天日乾燥床。
【発明の詳細な説明】
【技術分野】
【０００１】  本発明は、凝集沈殿装置から発生する排泥を濃縮槽で濃縮した後さらに天日により乾燥し、乾燥ケーキを得るための天日乾燥床に関する。
【背景技術】
【０００２】  従来、ダム、河川、湖沼等から取水して清澄化する場合、取水した水は、沈砂池、原水ポンプ所、着水井を経て、凝集沈殿装置に導入され、ここで急速・緩速攪拌池、薬品沈殿池、中塩素混和池、濾過池、後塩素混和池、浄水池に順次導かれ、上水道となる。
一方薬品沈殿池で沈降した汚泥は、排泥調整池、排泥濃縮層に導かれて濃縮した後天日乾燥床によって乾燥ケーキとした後、埋め立て処分されていた。【０００３】  しかしながら、天日乾燥床によって汚泥を乾燥ケーキとする迄に長時間且つ、部分的に脱水されない箇所が発生する欠点があった。
【発明の開示】
【発明が解決しようとする課題】
【０００４】  そこで、本発明者は、天日乾燥床によって短時間に乾燥ケーキとする方法について種々検討を重ねた結果本発明を完成するに至った。
【課題を解決するための手段】
【０００５】  すなわち、本発明は、ハニカムフレームを濾床の上部に配設することを特徴とする天日乾燥床である。
【発明の効果】
【０００６】  本発明の天日乾燥床によれば、天日乾燥床に入った排泥はハニカムフレームの区画を次々に満たすことで、ハニカムフレームの区画が汚泥の固液分離作用と汚泥貯留ポケット効果を併せて有するものである。このことは、流動性体の汚泥に連続区画で風・水流等の流勢影響を受けにくい区画を形成し、固液分離、停滞、脱水、水底汚泥の巻き上げ拡散防止等の面的防護効果がある。【０００７】  また、ハニカムフレームによって、天日乾燥床の表面積の他に区画壁の表面積が増加して、区画壁面による脱水・乾燥が行われ、ハニカムフレームの区画壁に沿って多数のクラックが生じる。また、ハニカムフレームの素材に透水性素材を用いることによって一層汚泥等を短時間に風・天日による脱水・乾燥させたケーキとすることができる。
【発明を実施するための最良の形態】
【０００８】  次に本発明を図面を参照しながら説明する。
図１は、従来の天日乾燥床の縦断面図である。
天日乾燥床１は、周囲を区画壁２で囲撓し、低床に任意の数のピット３を設ける。このピット３には、有孔集水管４が設けられている。天日乾燥床１の低床には、例えば４号砕石を用いて濾床５を形成し、その上層面に例えば６号砕石を用いて濾床６を形成する。さらに濾床６の上層面に砂の濾床７を形成し、濾床層を形成する。【０００９】  このように形成された天日乾燥床１に凝集沈殿装置から排出され、濃縮された排泥８を投入し、集水管４から水分を除去すると共に、天日により乾燥し、乾燥ケーキとする。【００１０】  本発明は、濾床がない場合においても、下記の説明のみにされるものではないが濾床の代わりに水を吸水するシート状の透水性素材のものを敷き詰めて、上部にハニカムフレームを配置することもできる。【００１１】  また、本発明のハニカムフレームの使用方法として、１段で使用するだけでなく、２段・３段と多段に重ねて使用することができる。多段に重ねることで天日乾燥床の深くまで、排泥を短時間に乾燥ケーキとすることができる。【００１２】  さらに、乾燥ケーキを取り出す際に、ハニカムフレームは簡単に取り出すことが可能なため、何回でも再使用が可能である。【００１３】  本発明の天日乾燥床は、従来の天日乾燥床１の排泥８の投入部位にハニカムフレーム９を配設するものである。ハニカムフレーム９は、図２に示すように多数の六角形の区画壁で構成されている。このハニカムフレーム９の個々の形状は六角形を有していれば特に制限なく用いることができるが、特に正六角形の形状のものが好ましい。【００１４】  本発明のハニカムフレーム９は、一体成型したものでも、あるいは例えば図３に示すように個々の六角形を固定具１０によって固定してハニカムフレーム９を形成してもよい。【００１５】  また、本発明のハニカムフレーム９は、水を吸水するいわゆる透水性の素材であることが好ましい。この透水性素材としては例えば紙、綿、麻等の天然繊維或いはポリエステル、ナイロン等の化学繊維または、天然繊維と化学繊維を混合させたもの等が挙げられる。【００１６】  本発明のハニカムフレーム９を天日乾燥床１に配設する方法としては、例えば図２に示すようにハニカムフレーム９の適宜の空間部に杭１１を砂濾床７あるいは砕石濾床５，６に達するように打ち込んで固定することが好ましい。
【図面の簡単な説明】
【００１７】
【図１】  従来の天日乾燥床の縦断面図。
【図２】  ハニカムフレームの斜視図
【図３】  ハニカムフレームの一部拡大斜視図
【符号の説明】
【００１８】１‥‥天日乾燥床
９‥‥ハニカムフレーム
【図１】
2005199249.tif 000003
【図２】
2005199249.tif 000004
【図３】
2005199249.tif 000005
(57)【要約】【課題】  棚柱を支柱と一体的に形成し、左右の棚板が段違いとならないようにした棚柱を提供すること。【解決手段】  支柱と一体的に形成された棚柱であって、支柱の前面と後面にそれぞれ形成された前板及び後板に棚受金具の舌片が嵌合する複数の孔を対応する各孔が同じ高さ位置となるように形成したことを特徴とする。【選択図】  図２
2005199024.tif 000002
【特許請求の範囲】
【請求項１】
支柱と一体的に形成された棚柱であって、支柱の前面と後面にそれぞれ形成された前板及び後板に棚受金具の舌片が嵌合する複数の孔を対応する各孔が同じ高さ位置となるように形成したことを特徴とする棚柱。
【発明の詳細な説明】
【技術分野】
【０００１】  本発明は、棚受金具の舌片が嵌合する複数の孔を形成した前板及び後板を支柱と一体的に形成した棚柱に関するものである。
【発明の開示】
【発明が解決しようとする課題】
【０００２】  従来から棚受金具の舌片が嵌合する複数の孔を形成した板状の棚柱は公知文献を挙示するまでもなく公知である。【０００３】  然しながら、従来のこのような板状の棚柱にあっては、支柱等の固定部材にネジ等で止めるものであったため、書庫棚のように棚板を連続して設ける必要がある場合には、棚柱を介して左右の棚板の高さが同じようにならなければ段違いとなって体裁が悪いため、棚柱の取付位置を厳密に計測して決めなければならず、この取付作業に難渋するという問題点があった。【０００４】  本発明は、上記従来技術の問題点を解決するために、棚柱を支柱と一体的に形成し、左右の棚板が段違いとならないようにした棚柱を提供することを目的とするものである。
【課題を解決するための手段】
【０００５】  本発明に係る棚柱は、支柱と一体的に形成された棚柱であって、支柱の前面と後面にそれぞれ形成された前板及び後板に棚受金具の舌片が嵌合する複数の孔を対応する各孔が同じ高さ位置となるように形成したことを特徴とするものである。
【発明の作用】
【０００６】  本発明では、支柱の前面と後面にそれぞれ形成された前板及び後板に棚受金具の舌片が嵌合する複数の孔を対応する各孔が同じ高さ位置となるように形成してあるので、前板及び後板のそれぞれの孔に棚受金具の舌片を嵌合して装着したとき、棚柱を介して左右の棚受金具の位置は同じとなり、棚板を載置したときに段違いとならない。
【実施例】
【０００７】  図１は、本発明棚柱の正面図、図２は、図１のＡ−Ａ線横断平面図、図３は、本発明棚柱による書庫棚の組み付け状態を表わす斜視図、図４は、本発明棚柱による棚板の載置状態を表わす斜視図、図５は、棚受金具の斜視図である。【０００８】  図において、１は、本発明棚柱を構成するアルミニュウム製の型材から成る支柱であって、その前面と後面にそれぞれ前板１−１と後板１−２が延長させて一体的に形成され、前板１−１及び後板１−２には後述する棚受金具の舌片が嵌合する複数の孔１−１ａ、１−２ａを対応する各孔が同じ高さ位置となるように形成してある。【０００９】  ２は、一対の棚柱間を連結する連結フレームで、棚柱間の間隔に適合するような長さに切断して使用され、床面にネジ等で固定されるものである。【００１０】  ３は、左右の端部が棚柱の前板１−１と後板１−２の間に差し込まれ、下端部が連結フレーム２の前後の片の間に差し込まれる木製パネルである。【００１１】  ４は、折曲加工によって製作される上向き舌片４−１と横向き舌片４−２が形成された従来公知の棚受金具で、使用方法は棚柱の複数の孔の内、棚板Ｔを載置する位置の２つの孔を選択して上向き舌片４−１を一つの孔に嵌合した後下段の孔に嵌合して装着するものである。
【発明の効果】
【００１２】  以上述べた如く、本発明に係る棚柱によれば、支柱の前面と後面にそれぞれ形成された前板及び後板に棚受金具の舌片が嵌合する複数の孔を対応する各孔が同じ高さ位置となるように形成してあるので、前板及び後板のそれぞれの孔に棚受金具の舌片を嵌合して装着したとき、棚柱を介して左右の棚受金具の位置は同じとなり、棚板を載置したときに段違いとならないもので、従来公知の棚柱のように作業員が取付位置を厳密に計測して決めるという面倒な作業を一切必要とせず便利であり、棚柱が支柱と兼用になっているので、図書館等で使用される書庫を構成する支柱として使用するには最適なものといえるものである。
【図面の簡単な説明】
【図１】  本発明棚柱の正面図である。
【図２】  図１のＡ−Ａ線横断平面図である。
【図３】  本発明棚柱による書庫棚の組み付け状態を表わす斜視図である。
【図４】  本発明棚柱による棚板の載置状態を表わす斜視図である。
【図５】  棚受金具の斜視図である。
【符号の説明】
１          支柱
２          連結フレーム
３          パネル
４          棚受金具
【図１】
2005199024.tif 000003
【図２】
2005199024.tif 000004
【図３】
2005199024.tif 000005
【図４】
2005199024.tif 000006
【図５】
2005199024.tif 000007
(57)【要約】【課題】自分の名前等が表示されている診療装置を提供する。【解決手段】レーザマーキング装置等を使用して診療装置に医院名、医師名、管理番号等を表示させる。レーザマーキングは手軽に、小さな文字まで鮮明にマーキングすることができ、診療装置一つ一つに異なる文字を自動的にマーキングすることもできる。更に、表示した医院名等の文字は、摩耗などへの耐久性が高いので、洗浄・滅菌といったメンテナンスを繰り返しても消えたり、滲んだりすることはない。【選択図】図１
2005199030.tif 000002
【特許請求の範囲】
【請求項１】
診療装置において、該診療装置に医院名、医師名、管理番号のうち少なくとも一つ以上が表示されていることを特徴とする診療装置。
【請求項２】
上記診療装置として、医科歯科用で用いられるハンドピース、診療台、周辺機器、Ｘ線撮影装置であることを特徴とする請求項１に記載の診療装置。
【請求項３】
上記医院名、医師名、管理番号のうち少なくとも一つ以上の表示をレーザマーキングで行うことを特徴とする請求項１又は請求項２に記載の診療装置。
【発明の詳細な説明】
【技術分野】
【０００１】
本発明は、医院名等が表示されている診療装置に関する。
【背景技術】
【０００２】
従来の診療装置においては、医院名、医師名又は医院、医師により診療装置の購入年月や診療科目（例えば口腔外科、予防歯科、小児歯科）等独自に決められた管理番号等が表示されていなかったため、医師は自分の診療装置であるかどうかがわかりにくく、しばしば他人の診療装置であるハンドピースや周辺機器を使用して診療を行っていた。
【０００３】
また、管理番号に関しては、製造メーカのシリアル番号を頼りに管理台帳を医師又は補助者が作成し管理をしたり、シール等で管理番号を付けたりしていたが、洗浄・滅菌を繰り返すうちにシールが剥がれたり、文字が滲んだりすることもあった。
【０００４】
更に、診療装置に対する愛着も少なく、洗浄・滅菌といったメンテナンスも充分に行われていなかった。
【特許文献１】特開２００３−１８０７１３号公報
【発明の開示】
【発明が解決しようとする課題】
【０００５】
医師は自分の名前等が診療装置に表示されているので、管理もしやすくなり、愛着も出てくるのでメンテナンスも充分行われるようになる。
【課題を解決するための手段】
【０００６】
レーザマーキング装置等を使用して診療装置に医院名、医師名、管理番号等のうち少なくとも一つ以上を表示させる。
【発明の効果】
【０００７】
医師は自分の診療装置であることを一目で区別することができ、他人の診療装置と間違えて使用することもなくなり、診療装置の管理も容易になる。また、診療装置自体に名前等が表示されているので愛着もでき、メンテナンス等も充分に行うことができる。
【０００８】
更に、製造メーカとしても修理依頼又は部品交換等を受けた際に、他の診療装置と間違えることなく修理や部品の交換を行え、確実に医師の下に返却することができる。
【０００９】
また、レーザマーキングは手軽に、小さな文字まで鮮明にマーキングをすることができ、診療装置一つ一つに異なる文字を自動的にマーキングをすることもできる。更に表示した医院名等の文字は、摩耗などへの耐久性が高いので、洗浄・滅菌といったメンテナンスを繰り返しても消えたり、滲んだりすることはない。
【発明を実施するための最良の形態】
【００１０】
以下、本発明の実施の形態を図に示して説明する。
図１は歯科用エアータービンハンドピース（１）の側面に、図２は歯科用エアータービンハンドピース（１）の上面に医院名及び医師名をレーザマーキング装置等を使用して表示させた例である。このように保持部（２）のメインチューブ接続側に表示させると、診療中ハンドピースを持った時にでも見え、診療装置に対する愛着もより出てくる。
【００１１】
図示はしないがエアータービンハンドピース（１）のみではなく、他のハンドピースであるマイクロモータ、スプレーシリンジ、エアースケーラ、口腔内カメラ、バキューム等に医院名及び医師名を表示しても良いし、図１及び図２のように、ハンドピースのどの部位に表示させても良いし、文字の大きさ・方向を変えても良い。
【００１２】
また、ハンドピース以外にもハンドピースとの接続用メインチューブ、歯科用診療台の一部（例えばトレーの取っ手部分や診療台のアーム、シート、無影灯等）、根管長測定器や根管治療装置といった周辺機器の本体、Ｘ線撮影装置の一部（例えば回転アームや操作パネル、制御器等）といった各診療装置の目に付きやすい箇所に医院名、医師名、管理番号のうち少なくとも一つ以上を表示させても良い。
【００１３】
この場合もハンドピースと同様にどの部位に表示しても良いし、文字の大きさ・方向やローマ字、漢字、ひらがな等の字体を変えても良い。
【００１４】
また、それぞれの診療装置に対して管理番号もあわせて表示しても良い。
【図面の簡単な説明】
【００１５】
【図１】歯科用エアータービンハンドピースの側面に表示させた一例を示した図
【図２】歯科用エアータービンハンドピースの上面に表示させた一例を示した図
【符号の説明】
【００１６】
１    歯科用エアータービンハンドピース
２    保持部
【図１】
2005199030.tif 000003
【図２】
2005199030.tif 000004
(57)【要約】      （修正有）【課題】どこででもシューズでローラスケートが出来る。【解決手段】シューズ１にチューブ４を取り付けそのチューブ４に鉄板５とローラー３を取り付け、ホース２から水をチューブ４に送水するとチューブ４が脹らみローラー３がシューズの底から押し出されて、ローラースケートが出来るようにした。【選択図】  図１
2005199026.tif 000002
【特許請求の範囲】
【請求項１】
シューズの底にローラーを取り付けローラーとシューズの間にチューブを取り付け、チューブに水を入れるとローラーが押されて出て来る用にしたローラー付きシューズ
【発明の詳細な説明】
【発明の詳細な説明】
本発明は１のシューズに４のチューブを取り付けそれに５のローラーじく受け台を付ける２のホースから水を入れると４のチューブがふくらみローラーが出て来てローラースケートの用にすべれる用にしたローラー付きシューズである
【図面の簡単な説明】
【図１】ローラーシューズの断面図である
【図２】ローラーシューズの断面図である
【符号の説明】
１．シューズ    ２．水を送るホース    ３．ローラー    ４．チューブ    ５．ローラーじく受け台    ６．ローラーシャフト    ７．フタ
【図１】
2005199026.tif 000003
【図２】
2005199026.tif 000004
(57)【要約】      （修正有）【課題】糞尿検知センサーをおむつの中または外に取りつけ、おむつ使用者が糞尿を漏らした時点で連絡発信器が作動し、介護人に連絡される装置を提供する。【解決手段】連絡装置１の電池挿入フタを開け、電池１３を入れてフタを閉めスイッチ３をオンにして、接続プラグ、コード付き糞尿検知センサー４を連絡装置のコンセントにセットし、糞尿検知センサー部分７をおむつの中または外に取りつけ、おむつ使用者がそのおむつを使用する。【選択図】図２
2005199021.tif 000002
【特許請求の範囲】
【請求項１】
接続プラグ、コード付き糞尿検知センサー及び電池、スイッチ、増幅回路、連絡発信器、コンセントを内臓した連絡装置を伝導線で接続構成したおむつ用の糞尿検知連絡装置。
【発明の詳細な説明】
【発明の詳細な説明】
【発明の属する技術】
【０００１】  この発明は、おむつに糞尿検知センサーをつけて、おむつ使用者が糞尿を漏らした時、スピーディーに検知し介護人に連絡する糞尿検知連絡装置である。
【背景技術】
【０００２】  従来のおむつには、糞尿を漏らした時の連絡装置がなく、介護人が匂いを嗅ぐか、手でさわってみるか、本人が気づかない限り、糞尿を漏らしているかどうかわからなかった。
【発明が解決しようとする課題】
【０００３】  おむつメーカーは不快感や皮膚炎を解消するため、吸湿性の高い布を開発して提供しているが、糞尿を漏らして本人が気づかない場合や、自分でおむつの交換ができなく介護人が多忙で糞尿漏れに気づかない場合、おむつ使用者は長時間放置され不快感や皮膚炎を解消できなかった。
本発明は、介護人やおむつ使用者の強い要望に答えるために発明されたものである。
【課題を解決する手段】
【０００４】  いま、その構成を図面で説明すると、
図１、図２の（１）の連絡装置の（１４）の電池挿入フタを開け（１３）の電池を入れフタを閉めて（３）のスイッチをオンにして、図１、図２の（４）の接続プラグ、コード付き糞尿検知センサーを（１５）のコンセントにセットし、糞尿検知センサー部分をおむつの中または外に取りつける。
以上のように装置する。
【発明を実施するための最良の形態】
【０００５】  次に本発明の実施の形態を述べると、（１）の連絡装置をおむつ使用者のポケットなどにかけておき、おむつ使用者が糞尿を漏らすと（７）の糞尿検知センサーが感知し、電流が流れ（６）のコード、（５）の接続プラグ、（１５）のコのコンセント、（１２）の増幅回路、（２）の連絡発信器に信号が伝わりメロディーが発信される。なお、連絡発信器はメロディー発信でなく、ブザー、発光ダイオード、無線、電話発信など介護人に連絡できるものであればよい。
また、連絡装置の形は長方形での表、裏フタをネジで止めた形でなく、丸、四角形での表、裏のネジ止めでも、一体形でもよく、もちやすい形であればよい。  一方、（７）の糞尿検知センサー、（６）のコードは汚れを拭き取れる物、または水洗いできる物であればよく、繰り返し使えれば良い。
【発明の効果】
【０００６】  だから、介護人はおむつ使用者がどこにいても糞尿を漏らした時にスピーディーにわかり交換対応ができることから、おむつ使用者の不快感や皮膚炎をおさえることができる。
また、介護人はおむつ使用者の糞尿漏れの監視から開放される。
【図面の簡単な説明】
【図１】本発明の正面図
【図２】本発明の断面図（Ａ−Ａ）
【符号の説明】
（１）は連絡装置
（２）は連絡発信器
（３）はスイッチ
（４）は接続プラグ、コード付き糞尿検知センサー
（５）は接続プラグ
（６）はコード
（７）は糞尿検知センサー
（８）はおむつ
（９）は表、裏フタの止めネジ
（１０）は表フタ
（１１）は裏フタ
（１２）は増幅回路
（１３）は電池
（１４）は電池挿入フタ
（１５）はコンセント
（１６）は伝導線
【図１】
2005199021.tif 000003
【図２】
2005199021.tif 000004
(57)【要約】      （修正有）【課題】ネジを使用せず、組み立て・分解が容易にでき、なおかつ一定の強度を兼ね備えた儀式用飾り台の提供。【解決手段】支柱１、支柱２にダボ３を取り付けると共に、ダボ３よりやや下方位置に切り込み部位である載置台受４を加工し、上部に棒状の天板止め７と凹状の天板受け８を設ける。載置台には、上面に凹型のダボ受を設け、載置台をダボ受に結合し固定する。天板には穴を設け、支柱１、支柱２に天板を固定する。【効果】支柱、支柱、載置台、天板は互いに容易に分離可能であり、なおかつ複数箇所の結合により組み立て状態で変形、軋みがほとんどない。【選択図】図２
2005199015.tif 000002
【特許請求の範囲】
【請求項１】
木製の支柱と装飾物を載置するための上面が平坦な載置台、載置台より上方に位置する上面が平坦な天板からなり、前記支柱は前記載置台に差し込み式、前記天板には貫通式でそれぞれ結合し固定され、また、前記支柱、前記載置台、前記天板は互いに分離可能である儀式用飾り台。
【請求項２】
請求項１において前記支柱、前記載置台は互いに結合する支柱部分側ダボ部分と載置台側ダボ受部分をそれぞれに備える事を特徴とする儀式用飾り台。
【請求項３】
請求項１において前記支柱、前記天板は互いに結合する支柱部分側天板止め部分と天板側穴部分をそれぞれに備える事を特徴とする儀式用飾り台。
【請求項４】
請求項１において前記支柱は互いに遠ざかる方向に曲がっていることを特徴とする儀式用飾り台。
【発明の詳細な説明】
【発明の詳細な説明】
【技術分野】
【０００１】本発明は、仏壇や祭壇の周辺の床面に置かれ、供え物などを載置する為に利用される儀式用飾り台の改良に関するものである。
【背景技術】
【０００２】従来より、天板上面に載置する供え物の重量に耐えられるように、木製の支柱と載置台をネジで固定する組み立て式の儀式用飾り台が使用されている。
非使用時に分解して収納する為、組み立て式は避けられない。
【発明が解決しようとする課題】
【０００３】従来の儀式用飾り台では、木製の部品の結合にネジが使用されている為、ドライバーを要すること、組み立ての手間がかかること、場合によっては小さなネジを紛失してしまうことなど、特に年配の方には困難を要することが多い。初盆などに利用される際には、一家庭に何台もの供え物が送られる為、組み立てが容易なものが望ましい。
【課題を解決する為の手段】
【０００４】上記のような課題を解決する為、ネジを一切使用せず、なおかつ一定の強度を持った商品の開発を目的としてなされたものである。
【発明を実施するための最良の形態】
【０００５】図１は、本発明による儀式用飾り台の実施の形態を示している。図２に示すように支柱１、支柱２には支柱本体に対して垂直方向にダボ３が取り付けられ、そのダボ３よりやや下方位置に、切り込み部位である載置台受４が加工されている。また支柱１、支柱２上部にはそれぞれ棒状の天板止め７と、凹状の天板受け８を有している。【０００６】図３に示す載置台５は、その上面に凹型に加工されたダボ受６を有する。前記ダボ３、前記載置台受４はこの載置台５を上下から挟み込むようにダボ受６に結合し固定される。【０００７】天板止め７、天板止め８は、図５に示す天板上の穴９を貫通し、天板１０を固定する。さらに天板止め８は、天板１０上部で図７に示す篭盛支持部材１１と結合する。【０００８】なお、図８、図９は支柱２と載置台５との接合部拡大図であり、支柱２を載置台５に差し込むことで左右からの力に強く、ダボ３と載置台受４で載置台５を挟むことで上下方向からの力に強くなる構造になっている。
【発明の効果】
本発明により、儀式用飾り台の組み立てが容易になり、ネジなどの金属を使用していない為、廃棄性にも優れる。また、上記構造の結果、上下・左右どちらからの力にも強く軋みがない為、供え物を載置しても非常に安定している。
【図面の簡単な説明】
【図１】  本発明の正面図である。
【図２】  支柱の斜面図である。
【図３】  載置台の平面図である。
【図４】  載置台の正面断面図である。
【図５】  天板の平面図である。
【図６】  天板の正面図である。
【図７】  篭盛支持部材の斜面図である。
【図８】  支柱、載置台接合部背面拡大断面図である。
【図９】  支柱、載置台接合部左側面拡大図である。
【図１０】  本商品の使用例を示す図である。（左側面図）
【符号の説明】
１    支柱
２    支柱
３    ダボ
４    載置台受
５    載置台
６    ダボ受
７    天板止め
８    天板止め
９    穴
１０  天板
１１  篭盛支持部材
【図１】
2005199015.tif 000003
【図２】
2005199015.tif 000004
【図３】
2005199015.tif 000005
【図４】
2005199015.tif 000006
【図５】
2005199015.tif 000007
【図６】
2005199015.tif 000008
【図７】
2005199015.tif 000009
【図８】
2005199015.tif 000010
【図９】
2005199015.tif 000011
【図１０】
2005199015.tif 000012
(57)【要約】【課題】    冬、空気が乾燥した室内では、箸を持つとき、やや滑りやすくなる。しかも、体調が十分でないときや、年を取って握力が弱くなったときも箸を持つと、滑りやすい状態がある。【課題を解決するための手段】  食べ物を挟み易くするために、箸先に、箸の周りに沿って、丸く、溝をいく筋かつけている箸がある。それと同じように、手で持つ部分にも同じような、箸先にある溝よりやや深めの、間隔は１ｃｍ程度の筋を、１０本程つける。筋をつける箇所は、箸の中央あたりから箸の一番上までとする。【選択図】図１
2005199019.tif 000002
【特許請求の範囲】
【請求項１】
食べ物を挟み易くするために、箸先に、箸の周りに沿って、丸く、溝をいく筋かつけている箸がある。それと同じように、手で持つ部分にも同じような、やや深めの、間隔は１ｃｍ程度の筋を、１０本程つける。箸の筋をつける箇所は、中央あたりから箸の一番上までとする。
【発明の詳細な説明】
【技術分野】
【０００１】  食事のときに使う箸に関する
【背景技術】
【０００２】  箸先が、食べ物を挟み易くするために、溝をいく筋かつけている箸がある。それと同じように、手で持つ部分にも同じような溝がある箸がないか探したが公開された資料にはないようである。
【発明が解決しようとする課題】
【０００３】  冬、空気が乾燥した室内では、箸を持つとき、夏等に比べて、やや滑りやすくなる。しかも、体調が十分でないときや、年を取って握力が弱くなったときも箸を持つと、滑りやすい状態がある。
【課題を解決するための手段】
【０００４】  食べ物を挟み易くするために、箸先に、箸の周りに沿って、丸く、溝をいく筋かつけている箸がある。それと同じように、手で持つ部分にも同じような、箸先にある溝よりやや深めの、間隔は１ｃｍ程度の筋を、１０本程つける。箸の筋をつける箇所は、中央あたりから箸の一番上までとする。
【発明の効果】
【０００５】  箸を持ったとき、指が、溝をつけてない箸に比べ、引っかかりやすいので、握力が弱くても、手が滑りやすい状態が、ましになる。
【図面の簡単な説明】
【図１】          握力が弱くなった手でも持ちやすい、箸の断面が円形の箸
【図２】          握力が弱くなった手でも持ちやすい、箸の断面が四角い箸
【符号の説明】
１    溝
２    深めの溝
【図１】
2005199019.tif 000003
【図２】
2005199019.tif 000004
(57)【要約】【課題】  特別な仕掛けを作るとなると大掛かりな商品になってしまう恐れがあり、既存の電気アンカなどの暖房器具を用いて、手軽に利用できる方法が求められている。【解決手段】  暖房器具の補助具として用いることができ、箱型上部または食卓テーブル下にスリット部を設け、ボックス内部に暖房器具を設置しスリット部に足を通すことにより、足を暖めることで快適な時間を過ごすことができる。【選択図】          図１
2005199011.tif 000002
【特許請求の範囲】
【請求項１】
足を通す部分にスリット部を設けてあることを特徴とする足暖スリットスルーシートとボックス。
【請求項２】
勉強机下に用いる場合は箱型上部にスリット部を設け横枠と下部とから構成され、または上部と横枠だけで構成されても良い。食卓テーブル下に用いる場合は縦型暖房器具を使用する場合と横型暖房器具を使用する場合がある。縦型暖房器具の場合は食卓テーブル下に幅約７００ｍｍ、長さ約５０００ｍｍの足暖スリットスルーシートをぐるりと回すことで利用することができ、横型暖房器具の場合は切り妻形または寄せ棟形または四角錐形または円錐形または正方形または長方形または円形またはその他箱型上部または横側にスリット部を設けることで利用することができる。材質は足暖スリットスルーシートに繊維または化学合成繊維またはその代替えとなるものを用い、枠組みには木製、厚紙、ゴムなどの樹脂、化学合成樹脂またはその代替えとなるものを用いる。ボックスの大きさは勉強机下の足元用なら奥行き３００ｍｍ、幅４００ｍｍ、高さ２００ｍｍ前後が適当であり、横型暖房器具用なら奥行き９００ｍｍ、幅１５００ｍｍ、高さ４００ｍｍ前後が適当であり、許容範囲は奥行き、幅、高さそれぞれ１０ｍｍ〜６０００ｍｍを必要とし特徴とする請求項１記載の足暖スリットスルーシートとボックス。
【発明の詳細な説明】
【技術分野】
【０００１】  本発明は電気アンカなど暖房器具の補助具として用いることができ、足を暖めるときに使用する足暖スリットスルーシートとボックスに関する。
【背景技術】
【０００２】  従来の技術で、より優れた足暖房器を持つものは幾つか存在する（特許文献１参照）。
【特許文献１】  特開平８−５４１２２号公報（第５頁、図１）
【発明が解決しようとする課題】
【０００３】  しかし、特別な仕掛けを作るとなると大掛かりな商品になってしまう恐れがあり、手軽に利用できる方法が求められている。したがって、まだ開発の余地があり、さらに利便性を追究し社会に貢献する必要性がある。
【課題を解決するための手段】
【０００４】  上記の目的を達成する為、本発明の足暖スリットスルーシートとボックスは、足を通す部分にスリット部を設けてある。
【０００５】  また本発明の、足暖スリットスルーシートとボックスは、勉強机下に用いる場合は箱型上部にスリット部を設け横枠と下部とから構成され、または上部と横枠だけで構成されても良い。食卓テーブル下に用いる場合は縦型暖房器具を使用する場合と横型暖房器具を使用する場合がある。縦型暖房器具の場合は食卓テーブル下に幅約７００ｍｍ、長さ約５０００ｍｍの足暖スリットスルーシートをぐるりと回すことで利用することができ、横型暖房器具の場合は切り妻形または寄せ棟形または四角錐形または円錐形または正方形または長方形または円形またはその他箱型上部または横側にスリット部を設けることで利用することができる。材質は足暖スリットスルーシートに繊維または化学合成繊維またはその代替えとなるものを用い、枠組みには木製、厚紙、ゴムなどの樹脂、化学合成樹脂またはその代替えとなるものを用いる。ボックスの大きさは勉強机下の足元用なら奥行き３００ｍｍ、幅４００ｍｍ、高さ２００ｍｍ前後が適当であり、横型暖房器具用なら奥行き９００ｍｍ、幅１５００ｍｍ、高さ４００ｍｍ前後が適当であり、許容範囲は奥行き、幅、高さそれぞれ１０ｍｍ〜６０００ｍｍを必要とする。
【０００６】  本発明である、足暖スリットスルーシートとボックスにおいては、電気アンカなど暖房器具の補助具として用いることができ、箱型上部に足を差し込むことにより足を暖めることができたり、横側にスリット部を設けマジックテープまたはジッパー及びファスナーまたはボタン及びホック類などその他で構成されても良い。また、足暖スリットスルーシートに詰め物を入れる場合には羽毛、木綿、スポンジ、ゴムなどの樹脂、化学合成樹脂などその他弾力性のあるものを入れる。
【０００７】  本発明の、足暖スリットスルーシートとボックスは、ストーブからの熱をパイプなどから繋いでボックス内に取り入れ、足を暖めたりすることができる。
【発明を実施するための最良の形態】
【０００８】  図１、図２、図３は本発明の、足暖スリットスルーシートとボックスの好適な実施の形態を示したものであり、一つの例である。【０００９】  図１は勉強机下に用いた場合、上部の足暖スリットスルーシート１にスリット部２を設け、ボックス３の対向する二つの面に折れ目４を付けることにより折り畳むことができる。折れ目４のないボックス３の対向する面は足暖スリットスルーシート１とつながっている。下部はボックス３の折れ目４のない片側に接続されていたり、取り外し可能なものでも良く、下部を用いなくても良い。【００１０】  図２は食卓テーブル６下に縦型暖房器具を用いた場合、足暖スリットスルーシート１をぐるりと回しマジックテープ５などにより固定する。足暖スリットスルーシート１には多数のスリット部２が設けられている仕様図である。【００１１】  図３は食卓テーブル６下に横型暖房器具を用いた場合、骨組入り足暖スリットスルーシート１に多数のスリット部２が設けられ、ボックス３の対向する二つの面に折れ目４を付けることにより折り畳むことができ、折れ目４のないボックス３の対向する面は足暖スリットスルーシート１とつながっている仕様図である。
【発明の効果】
【００１２】  以上説明したように、足暖スリットスルーシートとボックスを用いることで家庭の電気アンカまたは暖房器具を利用して簡単に足元を暖めることができ、学習時、食事のときなど快適な時間を過ごすことができる。
【図面の簡単な説明】
【図１】本発明の足暖スリットスルーシートとボックスの勉強机下の足元用。
【図２】本発明の足暖スリットスルーシートとボックスを縦型暖房器具に用いた場合。
【図３】本発明の足暖スリットスルーシートとボックスを横型暖房器具に用いた場合。
【符号の説明】
１  足暖スリットスルーシート
２  スリット部
３  ボックス
４  折れ目
５  マジックテープ
６  食卓テーブル
【図１】
2005199011.tif 000003
【図２】
2005199011.tif 000004
【図３】
2005199011.tif 000005
(57)【要約】［課題］  複数の脳箆、脳箆固定器を設置するため手間がかかり、かつ術野が煩雑となる。［解決手段］  脳箆の先端側の半分を三つに分けることによって一つの脳箆で三つの部分を引き込む（ｒｅｔｒａｃｔｉｏｎ）ことができる。シンプルなこの発想は脳神経外科医にとって嬉しいものとなる。【選択図】  図１
2005199017.tif 000002
【特許請求の範囲】
【請求項１】
脳神経外科の顕微鏡手術における脳箆固定器及び脳箆の数を減らし、設置時間を短縮する。
【発明の詳細な説明】
【発明の詳細な説明】
［発明の属する技術分野］
【０００１】    この発明は、脳神経外科顕微鏡手術の道具、脳箆に関するものである。
脳箆の先端を三つに分けることは製作が簡単でも効果は抜群である。
道具の能率、経済効果は大きい。
［従来の技術］
【０００２】脳神経外科における顕微鏡手術では視野が深いため脳又は妨げになる構造を引き込む必要があるが、そのためにほとんど２つ以上の脳箆を別々の脳箆固定器で固定して引き込む。
［発明が解決しようとする課題］
【０００３】殆どの手術で二つ以上脳箆固定器を設置し、其々に脳箆をつなぐため、設置に手間がかかる。また術野そのものが脳箆、ザバラ固定器などで煩雑している。
［課題を解決するための手段］
【０００４】複数の脳箆固定器や脳箆を設置することなく一つの脳箆を設置し、三つに分かれた先端で其々必要な部分を引き込むことができるようにしたのが本発明である。
［発明の実施の形態］
【０００５】以下、本発明の実施の形態を説明する。
イ）  全長１８ｃｍ、幅２０ｍｍの箆を先端側半分の９ｃｍのところから、三つに分けて其々の幅６，４，６ｍｍ、間隔を２ｍｍにした。
ロ）  各指先端は其々半径３，２ｍｍの丸目を付け、脳などを刺すことのないようにした。厚さは１ｍｍにした。
ハ）  材質は軟性であり、前後左右に曲げることができる。
ニ）  既存の脳箆固定器に装着する。
［発明の効果］
【０００６】一つの脳箆固定器で脳箆を設置し、それについている三つの指で其々の部分を引き込むことができる。
【図面の簡単な説明】
【図１】  本発明の使用状態を示す説明図である。
【図１】
2005199017.tif 000003